(57)【特許請求の範囲】
【請求項１】
純水を貯める純水タンクと、
前記純水にマイクロバブルを発生させ、前記マイクロバブルを有する純水を前記純水タンクに注入するマイクロバブル発生ユニットと、
前記マイクロバブル発生ユニットに純水発生装置で発生された純水を供給するために、前記純水発生装置と前記純水タンクとを接続する流路を、前記純水発生装置と前記マイクロバブル発生ユニットとを接続する流路に切り替える流路切り替え部と、
前記マイクロバブル発生ユニットに前記純水を供給するために、前記流路切り替え部を制御する制御部と、
を具備することを特徴とする自動分析装置。
【請求項２】
前記純水タンクから流路を介して接続され、分注プローブを有する分注ユニットと、
前記流路から分岐した流路により接続され、前記分注プローブと攪拌子とを洗浄する洗浄プールと、
前記純水タンクと前記分注ユニットとを接続する前記流路から分岐した流路により接続され、反応容器を洗浄する洗浄ユニットと、
前記洗浄ユニットと前記洗浄プールとにおいて発生した廃液を排出する廃液流路とをさらに具備し、
前記マイクロバブル発生ユニットは、
前記純水タンクと前記廃液流路とのうち少なくとも一方に、前記マイクロバブルを有する純水を注入し、
前記制御部は、
前記マイクロバブルを有する純水を、前記純水タンクと前記廃液流路とのうち少なくとも一方に注入するために、前記マイクロバブル発生ユニットを制御すること、
を特徴とする請求項１に記載の自動分析装置。
【請求項３】
純水を貯める純水タンクと、
前記純水タンクから流路を介して接続され、分注プローブを有する分注ユニットと、
前記分注プローブにより被検試料と試薬とが分注された反応容器を洗浄する洗浄ユニットと、
前記純水タンクから供給された純水にマイクロバブルを発生させ、前記洗浄ユニットへ前記マイクロバブルを有する純水を供給するマイクロバブル発生ユニットと、
前記マイクロバブルを有する純水を、前記純水タンクに注入するために、前記マイクロバブル発生ユニットを制御する制御部と、
を具備することを特徴とする自動分析装置。
【請求項４】
前記流路から分岐した流路を介して接続され、前記分注プローブと攪拌子とを洗浄する洗浄プールと、
前記洗浄ユニットと前記洗浄プールとにおいて発生した廃液を排出する廃液流路とをさらに具備し、
前記マイクロバブル発生ユニットは、
前記純水タンクと前記廃液流路とのうち少なくとも一方に、前記マイクロバブルを有する純水を注入し、
前記制御部は、
前記マイクロバブルを有する純水を、前記純水タンクと前記廃液流路とのうち少なくとも一方に注入するために、前記マイクロバブル発生ユニットを制御すること、
を特徴とする請求項３に記載の自動分析装置。
【請求項５】
前記純水タンクと前記分注ユニットとを接続する前記流路内の液体を脱気する脱気ユニットをさらに具備し、
前記制御部は、
前記純水タンクへの前記マイクロバブルを有する純水の注入を契機として、前記脱気ユニットの脱気機能を停止するために、前記脱気ユニットを制御すること、
を特徴とする請求項２または請求項３に記載の自動分析装置。
【請求項６】
前記マイクロバブル発生ユニットに前記純水を供給するタイミングを入力する入力部をさらに具備し、
前記制御部は、
前記タイミングを契機として、前記流路切り替え部をさらに制御すること、
を特徴とする請求項１に記載の自動分析装置。
【請求項７】
前記制御部が前記流路切り替え部を制御する複数の制御タイミングを表示する表示部をさらに具備し、
前記制御部は、
前記表示された複数の制御タイミングのうち前記入力部を介して選択された制御タイミングに従って、前記流路切り替え部をさらに制御すること、
を特徴とする請求項６に記載の自動分析装置。
【発明の詳細な説明】
【技術分野】
【０００１】
本発明の実施形態は、自動分析装置に関する。
【背景技術】
【０００２】
従来、自動分析装置において、サンプルプローブおよび試薬プローブ（以下、分注プローブと呼ぶ）の内外壁の洗浄、攪拌子の洗浄、反応容器内の洗浄には、自動分析装置内の流路を通して供給されるイオン交換水（以下、純水と呼ぶ）が用いられる。また、流路の洗浄は、純水を所定期間にわたって連続的に流すことにより実行されている。純水は水道水と異なり塩素成分を含まないため、自動分析装置の各ユニットにおいて純水が存在する領域、純水タンク、および流路には、微生物およびカビが発生する問題がある。また、純水による洗浄では、洗浄対象物に付着した汚れを除去することが難しい問題がある。
【０００３】
この問題を解決するため、定期的なメンテナンス時などにおいて、次亜塩素酸ナトリウムなどの薬剤が純水タンクに混入される。混入された薬剤により、純水を流す流路および分注プローブの内外壁、反応容器内、攪拌子などが、例えば１時間ほど洗浄される。薬剤による洗浄後、流路および分注プローブの内外壁、反応容器内、攪拌子などは、純水によりすすがれる。流路またはプローブ内外壁等への薬剤成分の残存は、測定データに影響を及ぼす可能性があるため、すすぎ時間は、例えば１乃至２時間など十分に行う必要がある。加えて、純水によるすすぎの後、測定と同様な評価により、すすぎが完全に行われたか否かを判定する必要がある。これらのことから、薬剤による洗浄には、上記すすぎ時間とすすぎの完了確認のための時間とにより、メンテナンスの時間を増大させる問題がある。
【０００４】
さらに、プローブを洗浄する洗浄プールで発生された廃液を自動分析装置外へ排出する廃液流路を洗浄する場合、例えば洗浄プールに薬剤を直接投入する必要がある。洗浄プールは自動分析装置において狭い領域を占めているため、薬剤投入の操作性が悪い問題がある。
【先行技術文献】
【特許文献】
【０００５】
【特許文献１】特開２００８−２６２２１号公報
【特許文献２】特開２００９−２１０２７４号公報
【特許文献３】特開２００７−４７００１号公報
【特許文献４】特許第４０２０８４３号公報
【特許文献５】特開２００８−２０３１９７号公報
【発明の概要】
【発明が解決しようとする課題】
【０００６】
目的は、洗浄用薬剤の影響をなくし、かつメンテナンス時間を短縮しつつメンテナンス時の操作性を向上することができる自動分析装置を提供することにある。
【課題を解決するための手段】
【０００７】
本実施形態に係る自動分析装置は、純水を貯める純水タンクと、前記純水にマイクロバブルを発生させ、前記マイクロバブルを有する純水を前記純水タンクに注入するマイクロバブル発生ユニットと、前記マイクロバブル発生ユニットに純水発生装置で発生された純水を供給するために、前記純水発生装置と前記純水タンクとを接続する流路を、前記純水発生装置と前記マイクロバブル発生ユニットとを接続する流路に切り替える流路切り替え部と、前記マイクロバブル発生ユニットに前記純水を供給するために、前記流路切り替え部を制御する制御部と、を具備することを特徴とする。
【図面の簡単な説明】
【０００８】
【図１】図１は、第１の実施形態に係る自動分析装置の構成の一例を示す図である。
【図２】図２は、第１の実施形態に係る反応機構の外観の一例を示す斜視図である。
【図３】図３は、第１の実施形態に係る流路洗浄機構の構成の一例を示す図である。
【図４】図４は、第１の実施形態に係り、流路洗浄機構における流路洗浄機能に関する処理の手順を示すフローチャートである。
【図５】図５は、第１の実施形態の変形例に係る流路洗浄機構の構成の一例を示す図である。
【図６】図６は、第２の実施形態に係る流路洗浄機構の構成の一例を示す図である。
【図７】図７は、第２の実施形態に係り、流路洗浄機構における流路洗浄機能に関する処理の手順を示すフローチャートである。
【図８】図８は、第２の実施形態の変形例に係る流路洗浄機構の構成の一例を示す図である。
【発明を実施するための形態】
【０００９】
以下、図面を参照しながら本実施形態に係わる自動分析装置を説明する。なお、以下の説明において、略同一の機能及び構成を有する構成要素については、同一符号を付し、重複説明は必要な場合にのみ行う。
【００１０】
（第１の実施形態）  
図１は本実施形態に係る自動分析装置のブロック構成図を示している。図１に示すように、自動分析装置１００は、反応機構３０、流路洗浄機構４０、分析部５０、出力部６０、入力部７０、システム制御部８０、インターフェース（以下Ｉ／Ｆと呼ぶ）７００、流路洗浄機構４０を備える。
【００１１】
反応機構３０は、測光部３２と分注ユニット３４と洗浄ユニット３５と洗浄プール３７と廃液流路３８とを有する。図２は、反応機構３０の外観を示す斜視図である。図２に示すように反応機構３０は、反応ディスク３１０、ディスクサンプラ３３０、第１試薬庫３５０、第２試薬庫３７０、サンプルプローブ３３４、サンプルアーム３３６、第１試薬プローブ３５４、第１試薬アーム３５６、第２試薬プローブ３７４、第２試薬アーム３７６、攪拌部３２０、反応容器洗浄ユニット３２５、測光部３２、を有する。分注ユニット３４は、サンプルプローブ３３４、サンプルアーム３３６、第１試薬プローブ３５４、第１試薬アーム３５６、第２試薬プローブ３７４、第２試薬アーム３７６、図示していないサンプル分注ポンプ、第１試薬分注ポンプ、第２試薬分注ポンプを有する。以下、混乱がない限り、サンプルプローブ３３４、第１試薬プローブ３５４、第２試薬プローブ３７４をまとめて分注プローブと呼ぶ。以下、混乱がない限り、サンプル分注ポンプ、第１試薬分注ポンプ、第２試薬分注ポンプをまとめて分注ポンプと呼ぶ。洗浄プール３７は、図示していない分注プローブ用の洗浄プールと図示していない撹拌子３２４用の洗浄プールとを有する。
【００１２】
反応ディスク３１０は、円周上に複数配置された反応容器３１２を回転可能に保持する。反応容器３１２は、反応ディスク３１０内の恒温槽に収容されている。反応ディスク３１０は、分析サイクルごとに所定の角度で回転した後、停止する。これにより、反応容器３１２は、所定の角度だけ回転される。
【００１３】
ディスクサンプラ３３０は、サンプル容器３３２を回動可能に保持する。サンプル容器３３２は、標準物質や被検試料などのサンプルを収容する。
【００１４】
第１試薬庫３５０は、複数の第１試薬容器３５２を有する。第２試薬庫３７０は、複数の第２試薬容器３７２を有する。第１試薬容器３５２および第２試薬容器３７２には、各検査項目の成分と反応する試薬が納められている。
【００１５】
サンプルアーム３３６は、サンプルプローブ３３４を回動可能に支持する。サンプルプローブ３３４は、サンプル分注ポンプにより、ディスクサンプラ３３０上におけるサンプルを吸引する位置にあるサンプル容器３３２から、サンプルを吸引する。サンプルプローブ３３４は、吸引したサンプルを、反応ディスク３１０上のサンプルが吐出される位置にある反応容器３１２に吐出する。サンプルの吐出後、サンプルアーム３３６は、後述する洗浄プール３７へ、サンプルプローブ３３４を移動させる。サンプルプローブ３３４は、洗浄プール３７で洗浄される。
【００１６】
第１試薬プローブ３５４は、第１試薬アーム３５６の先端に取り付けられている。第１試薬アーム３５６は、第１試薬プローブ３５４を回動可能および上下動可能に支持する。第１試薬プローブ３５４は、第１試薬分注ポンプにより、第１試薬庫３５０上における第１試薬を吸引する位置にある第１試薬容器３５２から、第１試薬を吸引する。第１試薬プローブ３５４は、吸引した第１試薬を、反応ディスク３１０上の第１試薬が吐出される位置にある反応容器３１２に吐出する。第１試薬の吐出後、第１試薬アーム３５６は、後述する洗浄プール３７へ、第１試薬プローブ３５４を移動させる。第１試薬プローブ３５４は、洗浄プール３７で洗浄される。
【００１７】
第２試薬プローブ３７４は、第２試薬アーム３７６の先端に取り付けられている。第２試薬アーム３７６は、第２試薬プローブ３７４を回動可能および上下動可能に支持する。第２試薬プローブ３７４は、第２試薬分注ポンプにより、第２試薬庫３７０上における第２試薬を吸引する位置にある第２試薬容器３７２から、第２試薬を吸引する。第２試薬プローブ３７４は、吸引した第２試薬を、反応ディスク３１０上の第２試薬が吐出される位置にある反応容器３１２に吐出する。第２試薬の吐出後、第２試薬アーム３７６は、後述する洗浄プール３７へ、第２試薬プローブ３７４を移動させる。第２試薬プローブ３７４は、洗浄プール３７で洗浄される。
【００１８】
攪拌部３２０は、攪拌アーム３２２と攪拌子３２４とを有する。攪拌子３２４は、攪拌アーム３２２の先端に取り付けられている。攪拌アーム３２２は、攪拌子３２４を回動可能および上下動可能に支持する。攪拌アーム３２２は、反応ディスク３１０上における反応容器３１２内の被検混合物を攪拌する位置に停止した反応容器３１２内に、攪拌子３２４を待機位置から下降させて挿入する。攪拌子３２４の先端が反応容器３１２の内底面の近傍まで下降すると、攪拌アーム３２２は、攪拌子３２４の下降を停止させる。攪拌子３２４の停止後、攪拌子３２４は、反応機構制御部３６の制御により振動する。攪拌子３２４が振動することにより、反応容器３１２内の混合液（サンプルと第１試薬、サンプルと第２試薬、サンプルと第１試薬と第２試薬）は、攪拌される。攪拌後、攪拌アーム３２２は、攪拌子３２４を待機位置まで上昇させる。続いて、攪拌アーム３２２は、攪拌子３２４を洗浄プール３７に移動させる。撹拌子３２４は、洗浄プール３７で洗浄される。
【００１９】
測光部３２は、被検試料と試薬の混合物（以下被検混合物と呼ぶ）に光を照射する。測光部３２は、被検混合物を透過した光を吸光度に変換し、被検試料に関する吸光度のデータを発生する。測光部３２は、発生した吸光度のデータを後述するデータ記憶部５２へ出力する。測光部３２は、標準物質と試薬の混合物（以下標準混合物と呼ぶ）に光を照射する。標準物質とは、測定する物質と同じか共通の性質を有する物質または、試薬との反応に共通性のある物質のことである。測光部３２は、標準混合物を透過した光を吸光度に変換し、標準物質に関する吸光度のデータを発生する。測光部３２は、標準物質に関する吸光度のデータをデータ記憶部５２へ出力する。
【００２０】
洗浄プール３７は、分注プローブと攪拌子３２４とを、純水により洗浄する。まず、分注プローブの洗浄について説明する。分注プローブが洗浄プール３７に挿入されると、洗浄プール３７は、洗浄プール３７の側壁に設置されたノズルから純水を吐出する。純水の吐出により、分注プローブの外壁が洗浄される。また、分注プローブは、分注ユニット３４に供給された純水を、分注ポンプにより吐出することで、分注プローブの内壁を洗浄する。撹拌子３２４が洗浄プール３７に挿入されると、洗浄プール３７は、洗浄プール３７の側壁に設置されたノズルから純水を吐出する。純水の吐出により、攪拌子３２４が洗浄される。
【００２１】
洗浄ユニット３５は、図示していない支持機構と洗浄ノズルと乾燥ノズルとを有する。支持機構は、洗浄ノズルと乾燥ノズルとを、それぞれ上下移動可能に支持する。洗浄ノズルは、反応ディスク３１０上における反応容器３１２を洗浄する位置にある反応容器３１２から、洗浄ポンプにより混合液を吸引する。混合液を吸引後、洗浄ノズルは純水を吐出して、反応容器３１２内を洗浄する。乾燥ノズルは、反応ディスク３１０上における反応容器３１２を乾燥する位置にある反応容器３１２内を、乾燥ポンプにより乾燥させる。
【００２２】
反応機構制御部３６は、入力部７０を介して操作者により入力された分析項目、分析手順等に関するシステム制御部８０からの信号に基づいて、図２に示す反応機構３０の各要素に対してシーケンスを組む。反応機構制御部３６は、組まれたシーケンスに基づいて、図２に示す反応ディスク３１０、ディスクサンプラ３３０、第１試薬庫３５０、第２試薬庫３７０をそれぞれ所定のタイミングで所定の角度で回転させる。
【００２３】
廃液流路３８は、洗浄ユニット３５および洗浄プール３７において発生した廃液を、本自動分析装置１００外に排出する流路である。
【００２４】
反応機構制御部３６は、組まれたシーケンスに基づいて、サンプルプローブ３３４、第１試薬プローブ３５４、第２試薬プローブ３７４をそれぞれ回動および上下動させる。反応機構制御部３６は、組まれたシーケンスに基づいて、攪拌子３２４、洗浄ユニット３２５の洗浄ノズルおよび乾燥ノズルをそれぞれ上下動させる。反応機構制御部３６は、組まれたシーケンスに基づいて、図示していないサンプル分注ポンプ、第１試薬分注ポンプ、第２試薬分注ポンプ、洗浄ポンプ、乾燥ポンプをそれぞれ駆動する。反応機構制御部３６は、組まれたシーケンスに基づいて、攪拌子３２４を振動させる。
【００２５】
流路洗浄機構４０は、流路切り替え部４１と、純水タンク４２と、純水ポンプ４３と、脱気ユニット４４と、マイクロバブル発生ユニット４５とを有する。図３は、流路洗浄機構４０の構成の一例を示す構成図である。純水タンク４２と分注ユニット３４とは、純水ポンプ４３と脱気ユニット４４とを介して、第１流路により接続される。洗浄ユニット３５は、純水ポンプ４３と脱気ユニット４４との間の第１流路から分岐した第２流路を介して、純水タンク４２に接続される。洗浄プール３７は、純水ポンプ４３と脱気ユニット４４との間の第１流路から分岐した第３流路を介して、純水タンク４２に接続される。
【００２６】
流路洗浄機構４０は、本自動分析装置１００の外部にある純水発生装置（以下、イオン交換装置と呼ぶ）２００に接続される。イオン交換装置は、純水を発生する。純水発生装置２００で発生された純水は、後述する流路切り替え部４１により、純水タンク４２と、マイクロバブル発生ユニット４５とのうちいずれか一方に供給される。流路切り替え部４１を構成する３方弁は、イオン交換装置に接続された流路と、純水タンク４２に接続された流路と、マイクロバブル発生ユニット４５に接続された流路とを接続する。流路切り替え部４１は、３方弁の代わりに、流路を分岐する分岐部と２つの２方弁を用いても良く、例えば、電磁駆動、モータ駆動、空気駆動、油圧駆動など、いずれの駆動方式であってもよい。３方弁は、後述するシステム制御部８０からの指示に従って、イオン交換装置から純水タンク４２へ純水を供給するために、流路を開放する。この時、マイクロバブル発生ユニット４５へは、純水は供給されない。また、３方弁は、後述するシステム制御部８０からの指示に従って、イオン交換装置からマイクロバブル発生ユニット４５へ純水を供給するために、流路を開放する。この時、純水タンク４２へは、純水は供給されない。
【００２７】
純水タンク４２は、純水を貯める。純水タンク４２は、所定水位まで、後述するマイクロバブルを有する純水を貯めるためのセンサを有する。なお、純水タンク４２は、センサの代わりにフロートゲージを有していてもよい。純水ポンプ４２は、純水タンク４２に貯められた純水またはマイクロバブルを有する純水を、分注ユニット３４、洗浄ユニット３５、洗浄プール３７に供給する。
【００２８】
マイクロバブル発生ユニット４５は、後述するシステム制御部８０からの指示に従って、マイクロバブルを発生する。なお、マイクロバブル発生ユニット４５は、イオン交換装置とマイクロバブル発生ユニット４５との流路の開通を契機として稼働してもよい。マイクロバブル発生ユニット４５は、流路切り替え部４１を介して純水の供給を受けると、純水中にマイクロバブルを発生させる。マイクロバブルとは、例えば、発生時の粒径が５０μｍ以下の気泡である。マイクロバブルは、純水中において、粒径が徐々に縮小する。その後、マイクロバブルは完全溶解する。このとき、フリーラジカルが発生する。フリーラジカルは、化学物質の分解性に優れている。すなわち、フリーラジカルは、汚れを分解する。マイクロバブル発生ユニット４５は、マイクロバブルを有する純水を純水タンクに供給する。なお、マイクロバブル発生ユニット４５は、イオン交換装置と純水タンク４３との流路の開通、またはイオン交換装置とマイクロバブル発生ユニット４５との流路の閉塞を契機として、稼働を停止してもよい。
【００２９】
純水ポンプ４３は、純水タンク４２に貯められた純水、または所定水位まで貯められたマイクロバブルを有する純水を、分注ユニット３４と洗浄ユニット３５と洗浄プール３７とに供給する。
【００３０】
脱気ユニット４４は、分注ユニット３４に供給される純水を脱気する（以下、脱気機能と呼ぶ）。脱気ユニット４４は、システム制御部８０の制御により、マイクロバブル発生ユニット４５の稼働を契機として、脱気機能を停止する。
【００３１】
分析部５０は、試料分析部５１とデータ記憶部５２とを有する。試料分析部５１は、データ記憶部５２に記憶された吸光度のデータと分析項目とに基づいて、検量線のデータを発生する。発生された検量線のデータは、データ記憶部５２に記憶されるとともに、出力部６０へ出力される。試料分析部５１は、当該検量線のデータとデータ記憶部５２に記憶された被検試料に関する吸光度のデータとに基づいて、検査項目に対応する成分の濃度および活性値などに関する分析データを発生する。発生された分析データは、データ記憶部５２に記憶されるとともに、出力部６０へ出力される。
【００３２】
データ記憶部５２は、ハードディスク等の記憶媒体を有する。データ記憶部５２は、反応機構３０の測光部３２により発生された吸光度のデータを記憶する。データ記憶部５２は、試料分析部５１により発生された検量線のデータを、標準物質ごとに記憶する。データ記憶部５２は、試料分析部５１により発生された分析データを、被検試料ごとに記憶する。
【００３３】
入力部７０は、キーボード、マウス、各種ボタン、タッチキーパネル等の入力デバイスを有する。入力部７０は、入力デバイスを介して操作者により入力された各測定項目の分析条件、被検試料ごとに測定する測定項目などを、操作信号としてシステム制御部８０へ出力する。また、入力部７０を介して操作者により入力された情報は、図示していない記憶部に記憶されてもよい。
【００３４】
入力部７０は、マイクロバブル発生ユニット４５に純水を供給するタイミング（以下、洗浄開始タイミングと呼ぶ）を入力する。このタイミングは、マイクロバブルを有する純水を分注ユニット３４、洗浄ユニット３５、洗浄プール３７に供給するタイミングであってもよい。また、入力部７０は、マイクロバブルを有する純水による分注ユニット３４、洗浄ユニット３５、洗浄プール３７の洗浄（以下、マイクロバブル洗浄と呼ぶ）を終了するタイミング（以下、洗浄終了タイミング）を入力してもよい。洗浄終了タイミングは、終了予定時刻であってもよいし、マイクロバブル洗浄を強制終了させるタイミング（以下、強制終了タイミング）であってもよい。なお、入力部７０は、洗浄開始タイミングを入力するためのボタン、強制終了タイミングを入力するためのボタンを有してもよい。
【００３５】
出力部６０は、印刷部６１と表示部６２とを有する。出力部６０は、分析部５０で発生された検量線と分析データとを、印刷または表示として出力する。印刷部６１は、例えばプリンタ等の出力デバイスを用いて、分析部５０で発生された検量線と分析データを、プリンタ用紙に所定のレイアウトで印刷する。
【００３６】
表示部６２は、例えばＣＲＴ（Ｃａｔｈｏｄｅ   Ｒａｙ  Ｔｕｂｅ）ディスプレイ、液晶ディスプレイ、プラズマディスプレイ等の表示デバイスを用いて、分析部５０で発生された検量線と分析データとを所定のレイアウトで表示する。また、表示部６２は、各測定項目に関する被検試料の液量、試薬の液量、測光ビームの波長等の分析条件を設定するための分析条件設定画面、被検試料に関して被検体ＩＤや被検体名等を設定するための被検体情報設定画面、被検試料ごとの測定項目を選択するための測定項目選択画面等を表示する。
【００３７】
表示部６２は、洗浄開始タイミングと洗浄終了タイミングとを表示する。表示部６２は、例えば、本自動分析装置１００をシャットダウンする際、２種のシャットダウンの形態を表示してもよい。２種のシャットダウンの形態とは、分注ユニット３４、洗浄ユニット３５、洗浄プール３７を、マイクロバブルを有する純水で洗浄してからシャットダウンをする形態と、洗浄しないでシャットダウンする形態とである。また、表示部６２は、複数の洗浄開始タイミングを表示することも可能である。複数の洗浄開始タイミングとは、例えば、本自動分析装置１００の立ち上げ時と、本自動分析装置１００のシャットダウン時などである。
【００３８】
なお、表示部６２は、マイクロバブルを有する純水で、分注ユニット３４、洗浄ユニット３５、洗浄プール３７を洗浄しているとき、マイクロバブル洗浄中などの表示をすることも可能である。また、表示部６２は、マイクロバブルを有する純水で洗浄が終了するまでの時間をカウントダウン形式で表示してもよい。
【００３９】
システム制御部８０は、ＣＰＵ（Ｃｅｎｔｒａｌ  Ｐｒｏｃｅｓｓｉｎｇ  Ｕｎｉｔ）を有する。システム制御部８０は、本自動分析装置１００における各部を統括して制御する。システム制御部８０は、入力部７０から供給される操作信号等に基づいて、各部および各ユニットを制御する。システム制御部８０は、入力部７０を介して洗浄開始タイミングが入力されると、純水をマイクロバブル発生ユニット４５に供給するために、流路切り替え部４１を制御する。この時、システム制御部８０は、マイクロバブル発生ユニット４５の稼働を開始させ、脱気ユニット４４の稼働を停止させる。なお、システム制御部８０は、洗浄開始タイミングの入力を契機として、純水タンク４２に貯められた純水を廃液流路に排水させてもよい。これにより、純水タンク４２には、マイクロバブルを有する純水が供給される。システム制御部８０は、純水タンク４２の所定水位までマイクロバブルを有する純水が貯められると、純水ポンプ４３を稼働させる。これにより、マイクロバブルを有する純水は、分注ユニット３４、洗浄ユニット３５、洗浄プール３７に供給される。
【００４０】
システム制御部８０は、所定時間が経過すると、純水タンク４２に純水を供給するために、流路切り替え部４１を制御する。所定時間とは、例えば、マイクロバブルが破壊されない程度の時間であり、例えば５分である。この時、システム制御部８０は、純水タンク４２を制御することにより、純水タンク４２に貯められたマイクロバブルを有する純水を、廃棄流路３８に排水させてもよい。システム制御部８０は、純水タンク４２への純水の供給を契機として、マイクロバブル発生ユニット４５の稼働を停止し、脱気ユニット４４を稼働させる。なお、システム制御部８０は、入力部７０により入力された洗浄強制終了の操作を契機として、流路切り替え部４１を制御してもよい。システム制御部８０は、純水タンク４２、分注ユニット３４、洗浄ユニット３５、洗浄プール３７を純水ですすぐために、流路切り替え部４１と純水ポンプ４３とを制御する。
【００４１】
なお、システム制御部８０は、複数の洗浄開始タイミングにそれぞれ対応する複数の洗浄終了タイミングに関する対応表を、図示していないメモリに記憶していてもよい。システム制御部８０は、入力部７０を介して洗浄開始タイミングが選択されると、選択された洗浄開始タイミングと記憶された対応表とを用いて、洗浄終了タイミングを決定する。システム制御部８０は、洗浄開始タイミングでマイクロバブル洗浄を実行し、決定した洗浄終了タイミングで、マイクロバブル洗浄を終了する。
【００４２】
Ｉ／Ｆ７００には、例えばネットワークが接続される。ネットワークを介して本自動分析装置１００は、ＰＡＣＳ（Ａｒｒｔｕｒｅ  Ａｒｃｈｉｖｉｎｇ  ａｎｄ  Ｃｏｍｍｕｎｉｃａｔｉｏｎ  Ｓｙｓｔｅｍ：医用画像保管通信システム）等に接続されてもよい。
【００４３】
（流路洗浄機能）  
流路洗浄機能とは、マイクロバブルを有する純水を、分注ユニット３４、洗浄ユニット３５、洗浄プール３７に供給し、純水が存在するユニットおよび流路を洗浄する機能である。以下、流路洗浄機能に従う処理（以下、流路洗浄処理と呼ぶ）を説明する。
【００４４】
図４は、流路洗浄処理に係り、純水にマイクロバブルを発生させ、分注ユニット３４、洗浄ユニット３５、洗浄プール３７にマイクロバブルを有する純水を供給する手順を示すフローチャートである。  
入力部７０を介して、洗浄開始タイミングが入力される（ステップＳａ１）。ついで、脱気ユニット４４の脱気機能が停止される（ステップＳａ２）。マイクロバブル発生ユニット４５に純水が供給される。続いて、マイクロバブル発生ユニット４５が稼働され、供給された純水にマイクロバブルが混入される（ステップＳａ３）。マイクロバブルを有する純水が、純水タンク４２に注入される（ステップＳａ４）。マイクロバブルを有する純水が純水タンク４２の所定水位まで貯められるまで、ステップＳａ４の処理が続けられる（ステップＳａ５）。
【００４５】
マイクロバブルを有する純水が純水タンク４２の所定水位まで貯められると、分注ユニット３４、洗浄ユニット３５、洗浄プール３７に、マイクロバブルを有する純水が供給される（ステップＳａ６）。所定時間が経過するまで、ステップＳａ６の処理が続けられる（ステップＳａ７）。所定時間の経過後、マイクロバブル発生ユニット４５への純水の供給が停止される。次いで、マイクロバブル発生ユニット４５の稼働が停止される（ステップＳａ８）。純水タンク４２に純水が注入される（ステップＳａ９）。脱気ユニット４４の脱気機能が稼働される（ステップＳａ１０）。純水ポンプ４３が稼働される。純水が、分注ユニット３４、洗浄ユニット３５、洗浄プール３７に供給される（ステップＳａ１１）。分注ユニット３４、洗浄ユニット３５、洗浄プール３７への純水の供給は、マイクロバブルを有する純水が廃液流路３８に排出されるまで実行される。
【００４６】
（変形例）  
第１の実施形態との相違は、マイクロバブルを有する純水を廃液流路３８に注入するために、マイクロバブル発生ユニット４５を制御することにある。  
図５は、第１の実施形態の変形例に係る流路洗浄機構４０の構成の一例を示す図である。
【００４７】
マイクロバブル発生ユニット４５は、後述するシステム制御部８０による制御のもとで、発生したマイクロバブルを有する純水を、純水タンク４２と、廃液流路３８との少なくとも一方に供給する。この時、マイクロバブルを有する純水を供給する供給先の切り替えは、例えば図示していない弁の開閉により実行される。弁の開閉は、後述するシステム制御部８０の制御のもとで実行される。
【００４８】
具体的には、例えば、マイクロバブル発生ユニット４５は、純水タンク４２に接続された流路にマイクロバブルを有する純水を供給することと、供給を停止することとを切り替えるための第１弁を有する。加えて、マイクロバブル発生ユニット４５は、例えば、廃液流路３８に接続された流路にマイクロバブルを有する純水を供給することと、供給を停止することとを切り替えるための第２弁を有する。なお、マイクロバブル発生ユニット４５は、第１、第２弁の代わりに、マイクロバブル発生ユニット４５と純水タンク４２とを接続する流路と、マイクロバブル発生ユニット４５と洗浄ポンプ４２とを接続する流路と、マイクロバブル発生ユニット４５とを接続するための３方弁を有していてもよい。第１、第２弁または３方弁の開閉は、後述するシステム制御部８０の制御により制御される。
【００４９】
廃液流路３８は、洗浄プール３７との接続部分および洗浄ユニット３５との接続部分に、マイクロバブル発生ユニット４５から供給されるマイクロバブルを有する純水を注入するためのノズル（以下、廃液流路ノズルと呼ぶ）を有する。マイクロバブルを有する純水は、廃液流路ノズルから廃液流路に注入される。
【００５０】
システム制御部８０は、洗浄開始タイミングの入力を契機として、マイクロバブルを有する純水を、純水タンク４２と廃液流路３８とのうち少なくとも一方に注入するために、マイクロバブル発生ユニット４５と廃液洗浄用ポンプ４６とを制御する。具体的には、システム制御部８０は、マイクロバブル発生ユニット４５の稼働を契機として、上記第１弁と上記第２弁の少なくとも一方の開閉を制御する。なお、システム制御部８０は、マイクロバブル発生ユニット４５の稼働を契機として、３方弁の開閉を制御してもよい。この制御により、マイクロバブル発生ユニット４５で発生されたマイクロバブルを有する純水は、廃液流路３８と純水タンク４２との少なくとも一方に注入される。
【００５１】
なお、システム制御部８０は、常時、純水を純水発生装置２００からマイクロバブル発生ユニット４５に供給させるために、流路切り替え部４１を制御してもよい。この時、マイクロバブル発生ユニット４５は、常時、純水にマイクロバブルを発生する。さらに、システム制御部８０は、廃液洗浄用ポンプ４６を常時稼働させる。これにより、廃液流路３８にマイクロバブルを有する純水を注入する常時注入することができる。
【００５２】
以上に述べた構成によれば、以下の効果を得ることができる。  
本自動分析装置１００によれば、マイクロバブル発生ユニット４５で発生されたマイクロバブルを有する純水を、洗浄開始タイミングに合わせて、純水タンク４２と、分注ユニット３４と、洗浄ユニット３５と、洗浄プール３７とに供給することができる。これにより、純水が流通する流路及び配管内を、マイクロバブルで洗浄することができる。また、マイクロバブルの洗浄により、流路及び配管内を正常な状態に保つことができる。加えて、洗浄薬液を使用せずに、流路及び配管内を洗浄できるため、メンテンナンス時の流路及び配管内の洗浄時間を短縮することができ、操作性を向上させることができる。さらに、自動分析を実行しているときに、分注ユニット３４にマイクロバブルを有する純水を供給しないため、分注時の圧力によって、マイクロバブルが収縮拡大することにより、正確な分注ができなくなることを防止することができる。
【００５３】
また、本自動分析装置１００によれば、任意のタイミングで、廃液流路３８にマイクロバブルを有する純水を供給することができる。なお、本自動分析装置１００によれば、常時、廃液流路３８にマイクロバブルを有する純水を供給することも可能である。これにより、廃液流路３８の洗浄を常時実行することが可能となり、例えば、洗浄プール３７から薬剤を投入することなどの操作性が悪い問題を解消することができる。加えて、低濃度廃液タンクに汚れが沈着することを防止することができる。
【００５４】
以上のことから、操作者が所望するタイミング、または所定の期間ごとに、測定結果に影響が出ないように、純水が流通する配管内を洗浄することができる。これにより、純水が流通する配管内に微生物が発生すること、配管内に付着した汚れを除去すること、分注プローブの内外壁、撹拌子３２４の外壁、反応容器３１２の内壁等に汚れが蓄積すること、廃液流路３８に汚れが蓄積することを防止することができる。また、マイクロバブルを有する純水で洗浄中であっても、緊急時に本自動分析装置１００を使用する場合、洗浄を強制終了し、即自動分析を実行することも可能となる。
【００５５】
（第２の実施形態）  
以下に述べる第２の実施形態において、第１の実施形態と同じ構成要素については、説明の重複を避けるため同じ構成部分には同符号を付して、その詳細な説明は省略し、異なる構成要素についてのみ説明する。  
図６は、第２の実施形態に係る流路洗浄機構４０の構成の一例を示す図である。  
流路洗浄機構４０は、純水タンク４２と、第１純水ポンプ４７と、第２純水ポンプ４８と、脱気ユニット４４と、マイクロバブル発生ユニット４５とを有する。洗浄プール３７は、第１純水ポンプ４７と脱気ユニット４４との間の第１流路から分岐した第２流路を介して、純水タンク４２に接続される。洗浄ユニット３５は、流路を介して、マイクロバブル発生ユニット４５に接続される。
【００５６】
純水発生装置２００は純水を発生し、発生した純水を純水タンク４２に純水を供給する。  
第１純水ポンプ４７は、純水タンク４２に貯められた純水またはマイクロバブルを有する純水を、第１流路、脱気ユニット４４を介して、分注ユニット３４に供給する。第１純水ポンプ４７は、純水タンク４２に貯められた純水またはマイクロバブルを有する純水を、第２流路を介して、洗浄プール３７に供給する。
【００５７】
第２純水ポンプ４８は、後述するシステム制御部８０による制御のもとで、純水タンク４２に貯められた純水を、マイクロバブル発生ユニット４５に供給する。第２純水ポンプ４８は、純水タンク４２とマイクロバブル発生ユニット４５との間に設けられる。
【００５８】
マイクロバブル発生ユニット４５は、純水タンク４２から供給された純水に混入するためのマイクロバブルを発生する。マイクロバブル発生ユニット４５は、マイクロバブルを有する純水を、洗浄ユニット３５へ供給する。マイクロバブル発生ユニット４５は、後述するシステム制御部８０の制御により、マイクロバブルを有する純水を、純水タンク４２に注入する。具体的には、マイクロバブル発生ユニット４５は、マイクロバブルを有する純水を純水タンク４２に注入するか否かの切り替えを実行する弁を有する。弁の開閉は、システム制御部８０の制御により、実行される。なお、弁は、マイクロバブル発生ユニット４５と洗浄ユニット３５との流路の途中に設けられてもよい。弁が開放されると、マイクロバブルを有する純水は、純水タンク４２に注入される。
【００５９】
システム制御部８０は、入力部７０を介して洗浄開始タイミングが入力されると、純水をマイクロバブル発生ユニット４５に供給するために、第２純水ポンプ４８を制御する。具体的には、システム制御部８０は、洗浄開始タイミングの入力を契機として、マイクロバブル発生ユニット４５における弁を開放する。これにより、マイクロバブルを有する純水が、純水タンク４２に注入される。この時、システム制御部８０は、脱気ユニット４４の稼働を停止させる。なお、システム制御部８０は、洗浄開始タイミングの入力を契機として、純水タンク４２に貯められた純水を廃液流路３８に排水させてもよい。これにより、純水タンク４２には、マイクロバブルを有する純水が供給される。システム制御部８０は、純水タンク４２の所定水位までマイクロバブルを有する純水が貯められると、第１純水ポンプ４７を稼働させる。これにより、マイクロバブルを有する純水は、分注ユニット３４、洗浄プール３７に供給される。
【００６０】
システム制御部８０は、純水タンク４２への純水の供給を契機として、脱気ユニット４４を稼働させる。なお、システム制御部８０は、入力部７０により入力された洗浄強制終了の操作を契機として、脱気ユニット４４の稼働を制御してもよい。システム制御部８０は、純水タンク４２、分注ユニット３４、洗浄プール３７を純水ですすぐために、第１純水ポンプ４７を駆動する。
【００６１】
（流路洗浄機能）  
流路洗浄機能とは、マイクロバブルを有する純水を、純水タンク４２、分注ユニット３４、洗浄ユニット３５、洗浄プール３７に供給し、純水が存在するユニットおよび流路を洗浄する機能である。洗浄ユニット３５には、常時、マイクロバブルを有する純水が供給される。以下、流路洗浄機能に従う処理（以下、流路洗浄処理と呼ぶ）として、分注ユニット３４および洗浄プール３７に、マイクロバブルを有する純水が供給される手順について説明する。
【００６２】
図７は、第２の実施形態に係り、流路洗浄機構４０における流路洗浄機能に関する処理の手順を示すフローチャートである。  
入力部７０を介して、洗浄開始タイミングが入力される（ステップＳｂ１）。ついで、脱気ユニット４４の脱気機能が停止される（ステップＳｂ２）。マイクロバブルを有する純水が、純水タンク４２に注入される（ステップＳｂ３）。マイクロバブルを有する純水が純水タンク４２の所定水位まで貯められるまで、ステップＳｂ３の処理が続けられる（ステップＳｂ４）。
【００６３】
マイクロバブルを有する純水が純水タンク４２の所定水位まで貯められると、第１純水ポンプ４７を稼働させることにより、分注ユニット３４、洗浄プール３７に、マイクロバブルを有する純水が供給される（ステップＳｂ５）。所定時間が経過するまで、ステップＳｂ５の処理が続けられる（ステップＳｂ６）。所定時間の経過後、マイクロバブル発生ユニット４５への純水の供給が停止される。次いで、純水タンク４２へのマイクロバブルを有する純水の供給が停止される（ステップＳｂ７）。純水タンク４２に純水が注入される（ステップＳｂ８）。脱気ユニット４４の脱気機能が稼働される（ステップＳｂ９）。純水が、分注ユニット３４、洗浄プール３７に供給される（ステップＳｂ１０）。分注ユニット３４、洗浄プール３７への純水の供給は、マイクロバブルを有する純水が廃液流路３８に排出されるまで実行される。
【００６４】
（変形例）  
第２の実施形態との相違は、マイクロバブルを有する純水を廃液流路３８に注入するために、マイクロバブル発生ユニット４５を制御することにある。  
図８は、第２の実施形態の変形例に係る流路洗浄機構４０の構成の一例を示す図である。
【００６５】
マイクロバブル発生ユニット４５は、後述するシステム制御部８０による制御のもとで、マイクロバブルを有する純水を、純水タンク４２と、廃液流路３８との少なくとも一方に供給する。この時、マイクロバブルを有する純水を供給する供給先の切り替えは、例えば図示していない弁の開閉により実行される。弁の開閉は、後述するシステム制御部８０の制御のもとで実行される。マイクロバブル発生ユニット４５は、常時、マイクロバブルを有する純水を、廃液流路３８に供給することができる。なお、マイクロバブル発生ユニット４５は、マイクロバブルを有する純水を、洗浄プール３７に供給することも可能である。
【００６６】
具体的には、例えば、マイクロバブル発生ユニット４５は、純水タンク４２に接続された流路にマイクロバブルを有する純水を供給することと、供給を停止することとを切り替えるための第１弁を有する。加えて、マイクロバブル発生ユニット４５は、例えば、廃液流路３８に接続された流路にマイクロバブルを有する純水を供給することと、供給を停止することとを切り替えるための第２弁を有する。なお、マイクロバブル発生ユニット４５は、第１、第２弁の代わりに、マイクロバブル発生ユニット４５と純水タンク４２とを接続する流路と、マイクロバブル発生ユニット４５と廃液流路３８とを接続する流路と、マイクロバブル発生ユニット４５とを接続するための３方弁を有していてもよい。第１、第２弁または３方弁の開閉は、後述するシステム制御部８０の制御により制御される。
【００６７】
廃液流路３８は、洗浄プール３７との接続部分および洗浄ユニット３５との接続部分に、マイクロバブル発生ユニット４５から供給されるマイクロバブルを有する純水を注入するためのノズル（以下、廃液流路ノズルと呼ぶ）を有する。マイクロバブルを有する純水は、廃液流路ノズルから廃液流路４８に注入される。
【００６８】
システム制御部８０は、洗浄開始タイミングの入力を契機として、マイクロバブルを有する純水を、純水タンク４２と廃液流路３８とのうち少なくとも一方に注入するために、マイクロバブル発生ユニット４５を制御する。具体的には、システム制御部８０は、マイクロバブル発生ユニット４５の稼働を契機として、上記第１弁と上記第２弁の少なくとも一方の開閉を制御する。なお、システム制御部８０は、マイクロバブル発生ユニット４５の稼働を契機として、３方弁の開閉を制御してもよい。この制御により、マイクロバブル発生ユニット４５で発生されたマイクロバブルを有する純水は、廃液流路３８と純水タンク４２との少なくとも一方に注入される。
【００６９】
以上に述べた構成によれば、以下の効果を得ることができる。  
本自動分析装置１００によれば、マイクロバブル発生ユニット４５で発生されたマイクロバブルを有する純水を、洗浄開始タイミングに合わせて、純水タンク４２と、分注ユニット３４と、洗浄プール３７とに供給することができる。加えて、本自動分析装置１００によれば、マイクロバブル発生ユニット４５で発生されたマイクロバブルを有する純水を、常時、洗浄ユニット３５に供給することができる。これらにより、純水が流通する流路及び配管内を、マイクロバブルで洗浄することができる。マイクロバブルの洗浄により、流路及び配管内を正常な状態に保つことができる。加えて、洗浄薬液を使用せずに、流路及び配管内を洗浄できるため、メンテンナンス時の流路及び配管内の洗浄時間を短縮することができ、操作性を向上させることができる。さらに、自動分析を実行しているときに、分注ユニット３４および洗浄プール３７にマイクロバブルを有する純水を供給しないため、分注時の圧力によってマイクロバブルが収縮拡大することにより、正確な分注ができなくなることを防止することができる。加えて、常時、洗浄ユニット３５を、マイクロバブルを有する純水で洗浄することができ、かつ洗浄ユニット３４で洗浄される反応容器３１２および撹拌子３２４の洗浄効果を向上させることができる。
【００７０】
また、本自動分析装置１００によれば、任意のタイミングで、廃液流路３８にマイクロバブルを有する純水を供給することができる。なお、本自動分析装置１００によれば、常時、廃液流路３８にマイクロバブルを有する純水を供給することも可能である。これにより、廃液流路３８の洗浄を常時実行することが可能となり、例えば、洗浄プール３７から薬剤を投入することなどの操作性が悪い問題を解消することができる。
【００７１】
以上のことから、操作者が所望するタイミング、または所定の期間ごとに、測定結果に影響が出ないように、純水が流通する配管内を洗浄することができる。これにより、純水が流通する配管内に微生物が発生すること、配管内に付着した汚れを除去すること、分注プローブの内外壁、撹拌子３２４の外壁、反応容器３１２の内壁等に汚れが蓄積すること、廃液流路３８に汚れが蓄積することを防止することができる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
３０…反応機構、３２…測光部、３４…分注ユニット、３５…洗浄ユニット、３６…反応機構制御部、３７…洗浄プール、３８…廃液流路、４０…流路洗浄機構、４１…流路切り替え部、４２…純水タンク、４３…純水ポンプ、４４…脱気ユニット、４５…マイクロバブル発生ユニット、４６…廃液洗浄用ポンプ、４７…第１純水ポンプ、４８…第２純水ポンプ、５０…分析部、５１…試料分析部、５２…データ記憶部、６０…出力部、６１…印刷部、６２…表示部、７０…入力部、８０…システム制御部、１００…自動分析装置、２００…純水発生装置、３１０…反応ディスク、３１２…反応容器、３２０…攪拌部、３２２…攪拌アーム、３２４…攪拌子、３２５…洗浄部、３３４…サンプルプローブ、３３６…サンプルアーム、３４２…ノズルチップ洗浄部、３４４…ノズルチップ保持部、３４６…ノズルチップ保管部、３４８…洗浄プール、３４９…洗浄剤交換機構、３５０…第１試薬庫、３５２…第１試薬容器、３５４…第１試薬プローブ、３５６…第１試薬アーム、３７０…第２試薬庫、３７２…第２試薬容器、３７４…第２試薬プローブ、３７６…第２試薬アーム、７００…Ｉ／Ｆ、３４４１…ノズルチップ接続部、３４４２…ノズルチップ
【図１】
0005872364.tif 000002
【図２】
0005872364.tif 000003
【図３】
0005872364.tif 000004
【図４】
0005872364.tif 000005
【図５】
0005872364.tif 000006
【図６】
0005872364.tif 000007
【図７】
0005872364.tif 000008
【図８】
0005872364.tif 000009